(57)【特許請求の範囲】
【請求項１】
電話回線を介しセンタ端末と通信する回線通信手段と、ガスなどの流体流量を積算するメータと送受信を行う端末通信手段と、コンデンサなどの充放電素子を有しその充電および放電により所定の電圧になると割り込み信号を出力する充放電割込手段と、前記回線通信手段や前記端末通信手段を制御すると共に前記充放電割込手段からの割り込み信号により起動されチェックやリフレッシュ動作を実行後、前記充放電割込手段を初期化させかつ停止状態に戻る通信制御手段と、前記通信制御手段に電力を供給する電源手段と、前記充放電割込手段の充放電素子の充電電荷を電力として前記通信制御手段に供給する放電供給手段とを備えた端末網制御装置。
【請求項２】
電話回線を介しセンタ端末と通信する回線通信手段、外部と送受信を行う端末通信手段、前記回線通信手段や前記端末通信手段を制御する通信制御手段及び前記通信制御手段に電力を供給する電源手段から成る端末網制御装置と、前記端末網制御装置の端末通信手段と送受信を行うメータ通信手段、ガスなどの流体流量を積算したりガス遮断弁を制御するメータ制御手段、任意の時間間隔で割り込み信号を出力するメータ割込手段及び前記メータ制御手段に電力を供給するメータ電源手段から成るメータとを備え、前記通信制御手段は前記メータ割込手段からの割り込み信号により起動されチェックやリフレッシュ動作を実行後、停止状態に戻る端末網制御システム。
【請求項３】
メータ割込手段の動作を制御するメータ割込制御手段をメータに備え、任意の時間間隔で割り込み信号を出力する端末割込手段及び前記端末割込手段を制御する端末割込制御手段を端末網制御装置に備え、前記端末割込制御手段は前記メータ割込制御手段と通信を行ない前記メータ割込手段と前記端末割込手段を交互に動作する請求項２記載の端末網制御システム。
【請求項４】
電話回線を介しセンタ端末と通信する回線通信手段と、ガスなどの流体流量を積算するメータと送受信を行う端末通信手段と、電話機を呼び出すための呼出信号を検出して割り込み信号を出力する呼出信号割込手段と、前記回線通信手段や前記端末通信手段を制御すると共に前記呼出信号割込手段からの割り込み信号により起動されチェックやリフレッシュ動作を実行後、停止状態に戻る通信制御手段と、前記通信制御手段に電力を供給する電源手段とを備えた端末網制御装置。
【請求項５】
電話回線を介しセンタ端末と通信する回線通信手段と、ガスなどの流体流量を積算するメータと送受信を行う端末通信手段と、外部の環境変化を検出して割り込み信号を出力するセンサ割込手段と、前記回線通信手段や前記端末通信手段を制御すると共に前記センサ割込手段からの割り込み信号により起動されチェックやリフレッシュ動作を実行後停止状態に戻る通信制御手段と、前記通信制御手段に電力を供給する電源手段とを備えた端末網制御装置。
【請求項６】
センサ割込手段は光の照度を検出して割り込み信号を出力する請求項５記載の端末網制御装置。
【発明の詳細な説明】
【０００１】
【産業上の利用分野】
本発明は、アナログ電話回線に接続される端末網制御装置に関するもので、主に自動検針等でメータとセンタ端末との通信制御に用いる端末網制御装置に関するものである。
【０００２】
【従来の技術】
従来のこの種の端末網制御装置ではその制御に通常はマイコンが用いられるが、そのマイコンのＩ／ＯポートがノイズなどによりＨ→ＬやＬ→Ｈに変化することによって電源電流が意味もなく流れ電池を消耗してしまう危険性があるのでＩ／Ｏポートのリフレッシュ動作をときどき行ってやる必要がある。また端末網制御装置の状態が正常であるかどうかのチェックやリフレッシュもときどき行う必要がある。そしてその時間間隔は待機時に発振子を動作させこのカレンダ機能により割り込みをかけて動作させていた。
【０００３】
【発明が解決しようとする課題】
しかしながら、上記のような構成では次のような課題がある。待機時においても端末網制御装置の発振子を常時動作させる必要がありその消費電力が端末網制御装置の電池電源の消費電力の大部分を占め、端末網制御装置の寿命を短くするという課題を有していた。
【０００４】
【課題を解決するための手段】
本発明は、上記の課題を解決するもので、その第１の構成として、電話回線を介しセンタ端末と通信する回線通信手段と、ガスなどの流体流量を積算するメータと送受信を行う端末通信手段と、コンデンサなどの充放電素子を有しその充電および放電により所定の電圧になると割り込み信号を出力する充放電割込手段と、前記回線通信手段や前記端末通信手段を制御すると共に前記充放電割込手段からの割り込み信号により起動されチェックやリフレッシュ動作を実行後、前記充放電割込手段を初期化させかつ停止状態に戻る通信制御手段と、前記通信制御手段に電力を供給する電源手段と、前記充放電割込手段の充放電素子の充電電荷を電力として前記通信制御手段に供給する放電供給手段とから構成されたものである。
【０００８】
また、第２の構成として、電話回線を介しセンタ端末と通信する回線通信手段と、外部と送受信を行う端末通信手段と、前記回線通信手段や前記端末通信手段を制御する通信制御手段及び前記通信制御手段に電力を供給する電源手段から成る端末網制御装置と、前記端末網制御装置の端末通信手段と送受信を行うメータ通信手段、ガスなどの流体流量を積算したりガス遮断弁を制御するメータ制御手段、任意の時間間隔で割り込み信号を出力するメータ割込手段及び前記メータ制御手段に電力を供給するメータ電源手段から成るメータとを備え、前記通信制御手段は前記メータ割込手段からの割り込み信号により起動されチェックやリフレッシュ動作を実行後、停止状態に戻る端末網制御システムから構成されたものである。
【０００９】
また、第３の構成として、メータ割込手段の動作を制御するメータ割込制御手段をメータに備え、任意の時間間隔で割り込み信号を出力する端末割込手段及び前記端末割込手段を制御する端末割込制御手段を端末網制御装置に備え、前記端末割込手段は前記メータ割込制御手段と通信を行ない前記メータ割込手段と前記端末割込手段を交互に動作する請求項５記載の端末網制御システムから構成されたものである。
【００１１】
また、第４の構成として、電話回線を介しセンタ端末と通信する回線通信手段と、ガスなどの流体流量を積算するメータと送受信を行う端末通信手段と、電話機を呼び出すための呼出信号を検出して割り込み信号を出力する呼出信号割込手段と、前記回線通信手段や前記端末通信手段を制御すると共に前記呼出信号割込手段からの割り込み信号により起動されチェックやリフレッシュ動作を実行後、停止状態に戻る通信制御手段と、前記通信制御手段に電力を供給する電源手段から構成されたものである。
【００１４】
また、第５の構成として、電話回線を介しセンタ端末と通信する回線通信手段と、ガスなどの流体流量を積算するメータと送受信を行う端末通信手段と、外部の環境変化を検出して割り込み信号を出力するセンサ割込手段と、前記回線通信手段や前記端末通信手段の制御すると共に前記センサ割込手段からの割り込み信号により起動されチェックやリフレッシュ動作を実行後かつ停止状態に戻る通信制御手段と、電源手段から構成されたものである。
【００１５】
また、第６の構成として、第５の構成においてセンサ割込手段が光の照度を検出して割り込み信号を出力するものである。
【００１７】
【作用】
上記構成によって次のように作用する。
【００１８】
本発明の第１の構成は、充放電割込手段の充放電素子の充放電時間を利用することにより一定時間ごとに通信制御手段に割り込み信号を出力する。すると放電供給手段がその充放電素子に蓄えられた電力を通信制御手段に供給し通信制御手段は端末網制御装置の状態チェックやリフレッシュを行う。
【００２２】
また第２の構成は、メータ割込手段は任意の時間ごとにメータ通信手段と端末通信手段を介して端末網制御手段に割り込み信号を出力する。その割り込み信号により通信制御手段は端末網制御装置の状態チェックやリフレッシュを行う。
【００２３】
また第３の構成は、端末割込制御手段とメータ割込制御手段は端末通信手段とメータ通信手段を介して送受信をしてそれぞれ端末割込手段とメータ割込手段を制御してこれらを交互に動作させるようにする。
【００２５】
また第４の構成は、呼出割込手段は端末網制御装置に接続されている電話機を外部から呼び出すための呼出信号を検出して通信制御手段に割り込み信号を出力する。するとその割り込み信号により端末網制御装置の状態チェックやリフレッシュ動作を行う。
【００２８】
また第５の構成はセンサ割込手段は外部の環境状態にある変化が起きるとこれを検出して通信制御手段に割り込み信号を出力する。するとその割り込み信号により通信制御手段は端末網制御装置の状態チェックやリフレッシュ動作を行う。
【００２９】
さらにまた第６の構成は、光センサ割込手段は外部の照度がある値になるとこれを検出して通信制御手段に割り込み信号を出力する。するとその割り込み信号により通信制御手段は端末網制御装置の状態チェックやリフレッシュ動作を行う。
【００３１】
【実施例】
以下、本発明の実施例を添付図面に基づいて説明する。
【００３２】
図１（ａ）は本発明の第１の構成の実施例の端末網制御装置である。また（ｂ）は同装置のコンデンサの充放電のタイミングを説明する図である。
【００３３】
図１（ａ）において、１０１は電話回線を介しセンタ端末と通信する回線通信手段、１０２は回線通信手段１０１や端末通信手段１０３を制御すると共に充放電割込手段１０６からの割り込み信号により起動されチェックやリフレッシュ動作を実行後、充放電割込手段１０６を初期化させかつ停止状態に戻る通信制御手段、１０３はガスなどの流体流量を積算するメータと送受信を行う端末通信手段、１０４は通信制御手段１０２に電力を供給する電源手段、１０５は端末網制御装置、１０６はコンデンサなどの充放電素子を有しその充電および放電により所定の電圧になると割り込み信号を出力する充放電割込手段、２０１はセンタ端末、２０２は電話回線、２０３はダイオードブリッジ、２０４はメータとした端末網制御装置である。
【００３４】
次に図１（ａ）を参照して本端末網制御装置の動作を説明する。
待機時において充放電割込手段１０６は充放電素子に微量な電流を流して電荷を蓄えていく。そしてその電荷がある一定容量に蓄積されるとその電圧を検出することにより充放電割込手段１０６は通信制御手段１０２に割り込み信号を出力する。通信制御手段１０２はその割り込み信号により動作状態となり、端末網制御装置１０５のマイコンのＩ／ＯポートがノイズなどによってＨ→ＬまたはＬ→Ｈになっていないかのチェックやメモリのリフレッシュ、Ｉ／Ｏポートの再初期化または電源手段１０４の電池電圧低下チェックを行う。その処理後に通信制御手段１０２は充放電割込手段１０６に充放電素子の電荷を放電して再充電するように制御する。そしてこれの繰り返しにより図１（ｂ）に示されるように一定の時間間隔ｔで通信制御手段１０２に割り込み信号を出力する。なお本実施例では充電時間を利用したが放電時間を利用しても同様の効果が得られる。
【００３５】
本発明の第２の構成に対応する実施例の端末網制御装置を図１（ａ）を参照して説明する。
【００３６】
なお前述した第１の構成の実施例と同一構成・要素についてはその説明を省略する。第１の構成の例と違う点は充放電割込手段１０６の充放電素子を充電する電力が電話回線２０２から供給されることである。
【００３７】
次に図１（ａ）を参照して本端末網制御装置の動作を説明する。待機時において充放電割込手段１０６は充放電素子へ電話回線２０２から微量な電流を取り出して電荷よりを蓄えていく。そしてその電荷がある一定容量に蓄積されるとその電圧を検出することにより充放電割込手段１０６は通信制御手段１０２に割り込み信号を出力する。通信制御手段１０２はその割り込み信号により動作状態となり、端末網制御装置１０５の状態チェックやリフレッシュまたは電源手段１０４の電池電圧低下チェックを行う。その処理後に通信制御手段１０２は充放電割込手段１０６に充放電素子の電荷を放電し再充電するように制御する。そしてこれの繰り返しにより一定の時間間隔で通信制御手段１０２に割り込み信号を出力する。なお本実施例では充電時間を利用したが放電時間を利用しても同様の効果が得られる。
【００３８】
本発明の第３の構成に対応する実施例の端末網制御装置を図１（ａ）を参照して説明する。
【００３９】
なお前述した第１の構成の実施例と同一構成・要素については同様にその説明を省略する。第１の構成の例と違う点は充放電割込手段１０６の充放電素子を充電する電力が電源手段１０４から供給されることである。
【００４０】
次に図１（ａ）を参照して本端末網制御装置の動作を説明する。待機時において充放電割込手段１０６は充放電素子に電源手段１０４から微量な電流を取り出して電荷を蓄えていく。そしてその電荷がある一定容量に蓄積されるとその電圧を検出することにより充放電割込手段１０６は通信制御手段１０２に割り込み信号を出力する。通信制御手段１０２はその割り込み信号により動作状態となり、端末網制御装置１０５の状態チェックやリフレッシュまたは電源手段１０４の電池電圧低下チェックを行うその処理後に通信制御手段１０２は充放電割込手段１０６に充放電素子の電荷を放電して再充電するように制御する。そしてこれの繰り返しにより一定の時間間隔で通信制御手段１０２に割り込み信号を出力する。なお本実施例では充電時間を利用したが放電時間を利用しても同様の効果が得られる。
【００４１】
図２は本発明の第４の構成に対応する実施例の端末網制御装置である。図２において、１０１は回線通信手段、１０２は通信制御手段、１０３は端末通信手段、１０４は電源手段、１０５は端末網制御装置、１０７は回線電流割込手段、１１０は回線電流割込手段１０７による充放電素子に蓄えられた電力を通信制御手段に供給する放電供給手段、２０１はセンタ端末、２０２は電話回線、２０３はダイオードブリッジ、２０４はメータとした端末網制御装置である。
【００４２】
次に図２を参照して本端末網制御装置の動作を説明する。待機時において回線電流割込手段１０７は充放電素子に電話回線２０２から微量な電流を取り出して電荷を蓄えていく。そしてその電荷がある一定容量に蓄積されるとその電圧を検出することによって回線電流割込手段１０７は通信制御手段１０２に割り込み信号を出力すると共に放電供給手段１１０にも割り込み信号を出力する。そして放電供給手段１１０は回線電流割込手段１０７の充放電素子に蓄積された電荷を一定電圧に保って電力として通信制御手段１０２に供給する。通信制御手段１０２はその割り込み信号と供給電力によって動作状態となり、端末網制御装置１０５の状態チェックやリフレッシュまたは電源手段１０４の電池電圧低下チェックを行う。その処理後に通信制御手段１０２は回線電流割込手段１０７に再充電するように制御する。そしてこれの繰り返しにより一定の時間間隔で通信制御手段１０２に割り込み信号を出力する。
【００４３】
なお本実施例では請求項２記載の端末制御装置に放電供給手段１１０を追加した実施例としたが、請求項１または請求項３記載の端末網制御装置に追加しても同様の効果を得ることができる。
【００４４】
図３は本発明の第５の構成に対応するの実施例の端末網制御システムである。図３において、１０１は電話回線を介しセンタ端末と通信する回線通信手段、１０２は回線通信手段１０１や端末通信手段１０３を制御する通信制御手段、１０３は外部と送受信を行う端末通信手段と、１０４は通信制御手段１０２に電力を供給する電源手段、１０５は端末網制御装置、１１１は端末網制御装置１０５の端末通信手段１０３と送受信を行うメータ通信手段、１１２はガスなどの流体流量を積算したりガス遮断弁を制御するメータ制御手段、１１３は通信制御手段１０２に割み込み信号を出力して端末網制御装置１０５の状態が正常であるかどうかのチェックやリフレッシュ動作を行わせるメータ割込手段、１１４はメータ割込手段１１３やメータ制御手段１１２に電力を供給するメータ電源手段、２０１はセンタ端末、２０２は電話回線、２０３はダイオードブリッジ、２０４はメータとした端末網制御システムである。
【００４５】
次に図３を参照して本端末網制御システムの動作を説明する。
待機時においてメータ２０４のメータ割込手段１１３は任意の時間間隔でメータ通信手段１１１を介して端末網制御装置１０５にある信号を送信する。そしてそれを検出した端末通信手段１０３はこれを通信制御手段１０２伝送しこれによって通信制御手段１０２は動作状態となり、端末網制御装置１０５の状態チェックやリフレッシュまたは電源手段１０４の電池電圧低下チェックを行う。
【００４６】
図４は本発明の第６の構成に対応する実施例の端末網制御システムである。
図４において、１０１は回線通信手段、１０２は通信制御手段、１０３は端末通信手段、１０４は電源手段、１０５は端末網制御装置、１１１はメータ通信手段、１１２はメータ制御手段、１１３はメータ割込手段、１１４はメータ電源手段、１１５は通信制御手段１０２に割り込み信号を出力して、端末網制御装置１０５が正常な状態であるかのチェックやリフレッシュ動作を行わせるメータ割込手段１１３を制御するメータ割込制御手段、１１６は端末網制御装置１０５の通信制御手段１０２に割り込み信号を出力して端末網制御装置１０５の状態が正常であるかどうかのチェックやリフレッシュ動作を行わせる端末割込手段、１１７は端末割込手段１１６を制御しメータ割込制御手段１１５と通信を行いメータ割込手段１１３と端末割込手段１１６を交互に動作させる端末割込制御手段、２０１はセンタ端末、２０２は電話回線、２０３はダイオードブリッジ、２０４はメータとした端末網制御システムである。
【００４７】
次に図４を参照して本端末網制御システムの動作を説明する。待機時においてメータ２０４のメータ割込手段１１３は任意の時間間隔でメータ通信手段１１１を介して端末網制御装置１０５に割り込み信号を送信する。そしてこれを検出した端末通信手段１０３はこれを通信制御手段１０２に伝送してこれにより通信制御手段１０２は動作状態となり、端末網制御装置１０５の状態が正常であるかどうかのチェックやリフレッシュ動作を行う。そしてメータ割込手段１１３の割り込み回数が一定数以上になるとメータ割込制御手段１１５はメータ通信手段１１１と端末通信手段１０３を介して端末割込制御手段１１７と通信し、今度は端末網制御装置１０５にある端末割込手段１１６により割り込み信号を出力するようにする。そしてメータ割込制御手段１１５はメータ割込手段１１３による割り込み信号出力を停止させる。そして端末割込手段１１６の割り込み回数がある一定数以上になると今度は端末割込制御手段１１７はメータ割込制御手段１１５と通信をして端末割込手段１１６による割り込み信号出力を停止させて、今度はメータ割込手段１１３による割り込み信号出力となりこれを繰り返す。
【００４８】
本発明の第７の構成に対応した実施例の端末網制御装置を図３を参照して説明する。
【００４９】
なお、前述したように第５の実施例で説明したものと同一構成要素のものはその説明を省略する。第５の構成の例と違う点はメータ割込手段１１３がガスなどの流量の一定使用量ごとに通信制御手段に割り込み信号を出力することである。
【００５０】
次に図３を参照して本端末網制御装置の動作を説明する。待機時においてメータ２０４のメータ割込手段１１３はガスなどの流量の一定使用量ごとにメータ通信手段１１１を介して端末網制御装置１０５に割り込み信号を送信する。そしてそれを検出した端末通信手段１０３はこれを通信制御手段１０２に伝送してこれによって通信制御手段１０２は動作状態となり、端末網制御装置１０５の状態が正常であるかどうかのチェックやリフレッシュ動作を行う。
【００５１】
図５は本発明の第８の構成に対応した実施例の端末網制御装置である。
図５において、１０１は回線通信手段、１０２は通信制御手段、１０３は端末通信手段、１０４は電源手段、１０５は端末網制御装置、１１９は端末網制御装置１０５に接続されている使用者の電話機を呼び出すための呼出信号を検出して通信制御手段に割り込み信号を出力し、端末網制御装置１０５が正常な状態であるかのチェックやリフレッシュ動作を行わせる呼出信号割込手段、２０１はセンタ端末、２０２は電話回線、２０３はダイオードブリッジ、２０４はメータとした端末網制御装置である。
【００５２】
次に図５を参照して本端末網制御装置の動作を説明する。
待機時において呼出信号割込手段１１９は端末網制御装置１０５に接続されている電話機２０５にかかってくる電話の呼出信号を監視して、この呼出信号を検出すると通信制御手段１０２に割り込み信号を出力する。通信制御手段１０２はその割り込み信号により動作状態となり、端末網制御装置１０５の状態が正常であるかどうかのチェックやリフレッシュ動作を行わせる。
【００５３】
本発明の第９の構成に対応した実施例の端末網制御装置を図５を参照して説明する。
【００５４】
前述したように第８の実施例で説明したものと同一構成要素のものはその説明を省略する。第８の構成の例と違う点は呼出信号割込手段１１９が端末網制御装置１０５に接続されている使用者の電話機のオフフックを検出して通信制御手段１０２に割り込み信号を出力し、端末網制御装置１０５が正常な状態であるかのチェックやリフレッシュ動作を行わせるオフフック割込手段１２０である。
【００５５】
次に図５を参照して本端末網制御装置の動作を説明する。
待機時においてオフフック割込手段１２０は端末網制御装置１０５に接続されている電話機２０５のオフフックを監視して、オフフックを検出すると通信制御手段１０２に割り込み信号を出力する。通信制御手段１０２はその割り込み信号により動作状態となり、端末網制御装置１０５の状態が正常であるかどうかのチェックやリフレッシュ動作を行わせる。
【００５６】
図６は本発明の第１０の構成に対応した実施例の端末網制御装置である。
図６において、１０１は回線通信手段、１０２は通信制御手段、１０３は端末通信手段、１０４は電源手段、１０５は端末網制御装置、１２１は電源手段１０４の電池電流のオン／オフを監視し異常があるなら通信制御手段１０２に割り込み信号を出力して端末網制御装置１０５の状態が正常であるかどうかのチェックやリフレッシュ動作を行わせるポート監視手段、２０１はセンタ端末、２０２は電話回線、２０３はダイオードブリッジ、２０４はメータとした端末網制御装置である。
【００５７】
次に図６を参照して本端末網制御装置の動作を説明する。待機時においてポート監視手段１２１は電源手段１０４が待機時には動作していない部分に電力供給していないかを監視する。もし供給しているならば通信制御手段１０２に割り込み信号を出力する。すると通信制御手段１０２はその割り込み信号により電源手段１０４の電池電圧低下チェックやこの電力供給がノイズなどによる誤動作である場合に備えて端末網制御装置１０５のリフレッシュ動作を行わせる。
【００５８】
図７は本発明の第１１構成に対応した実施例の端末網制御装置である。図７において、１０１は回線通信手段、１０２は通信制御手段、１０３は端末通信手段、１０４は電源手段、１０５は端末網制御装置、１２２は外部の環境変化を検出して通信制御手段１０２に割り込み信号を出力し、端末網制御装置１０５が正常な状態であるかのチェックやリフレッシュ動作を行わせるセンサ割込手段、２０１はセンタ端末、２０２は電話回線、２０３はダイオードブリッジ、２０４はメータとした端末網制御装置である。
【００５９】
次に図７を参照して本端末網制御装置の動作を説明する。
待機時においてセンサ割込手段１２２は外部の環境状態のなんらかの変化を検出すると通信制御手段１０２に割り込み信号を出力する。通信制御手段１０２はその割り込み信号により動作状態となり、端末網制御装置１０５の状態が正常であるかどうかのチェックやリフレッシュ動作を行わせる。その処理後に通信制御手段１０２はセンサ割込手段１２２に割り込み処理を終了したことを通知する。するとセンサ割込手段１２２は外部の気象変化の検出を再び開始する。
【００６０】
本発明の第１２の構成に対応した実施例の端末網制御装置を図７を参照して説明する。
【００６１】
なお、前述したように第１１の実施例で説明したものと同一要素のものはその説明を省略する。第１１の構成の例と違う点はセンサ割込手段１２２が光の照度を検出して割り込み信号を出力する光センサ割込手段１２３である。
【００６２】
次に図７を参照して本端末網制御装置の動作を説明する。
待機時において光センサ割込手段１２３は外部の光の照度がある一定値以上になると通信制御手段１０２に割り込み信号を出力する。通信制御手段１０２はその割り込み信号により動作状態となり、端末網制御装置１０５の状態が正常であるかどうかのチェックやリフレッシュ動作を行わせる。その処理後に通信制御手段１０２は光センサ割込手段１２２に割り込み処理を終了したことを通知する。
【００６３】
本発明の第１３の構成に対応した実施例の端末網制御装置を図７を参照して説明する。
【００６４】
なお前述したように第１１の実施例で説明したものと同一構成・要素のものはその説明を省略する。第１１の構成の例と違う点はセンサ割込手段１２２が振動を検出して割り込み信号を出力する振動センサ割込手段１２４である。
【００６５】
次に図７を参照して本端末網制御装置の動作を説明する。
待機時において振動センサ割込手段１２４は振動がある一定値以上になると通信制御手段１０２に割り込み信号を出力する。通信制御手段１０２はその割り込み信号により動作状態となり、端末網制御装置１０５の状態が正常であるかどうかのチェックやリフレッシュ動作を行わせる。その処理後に通信制御手段１０２は振動センサ割込手段１２３に割り込み処理を終了したことを通知する。
【００６６】
【発明の効果】
以上の説明から明らかのように本発明の端末網制御装置によれば次の効果が得られる。
【００６７】
（１）充放電素子の充放電時間を利用して端末網制御装置の状態チェックやリフレッシュまたは電池電圧低下チェックをある一定の時間間隔ごとに行うため、この時間間隔をつくっていた発振子を動作させる必要がなくなるのでその消費電力を減少させることができ、端末網制御装置を長寿命にできる。
【００７０】
さらに、充放電素子に充電した電荷を電力として端末網制御装置の状態チェックやリフレッシュ動作に使用するので電池の電流を無駄にせずに消費することができる。
【００７１】
（２）メータからの割り込み信号によって端末網制御装置の状態チェックやリフレッシュ動作をするので端末網制御装置とメータ間の通信が正常であるかのチェックを同時に行える。
【００７２】
（３）端末網制御装置とメータで交互に待機時の割り込み動作を行うので端末網制御装置とメータの各電池の負担が均一になり寿命がほぼ同じとなって、取り替えは端末網制御装置とメータを同時に行うことができ低コストになる。
【００７４】
（４）呼出信号による割り込みなのでセンタ側が端末網制御装置と通信できなかったとき、センタ側から電話をかけることにより端末網制御装置の状態チェックやリフレッシュまたは電池電圧低下チェックを行うことができる。
【００７７】
（５）割り込みはセンサにより外部の環境変化を利用するのでセンサを取り替えることによって端末網制御装置の設置されている場所に最適なセンサを利用することができる。
【００７８】
（６）光センサによって外部の照度がある一定値以上または以下になると割り込み信号を出力するので１日１回必ず端末網制御装置の状態チェックやリフレッシュ動作または電池電圧低下チェックができる。
【図面の簡単な説明】
【図１】（ａ）本発明の第１〜３の実施例における端末網制御装置のブロック構成図
（ｂ）同装置におけるコンデンサの充放電のタイミングを説明する図
【図２】本発明の第４の実施例における端末網制御装置のブロック構成図
【図３】本発明の第５、７の実施例における端末網制御システムのブロック構成図
【図４】本発明の第６の実施例における端末網制御システムのブロック構成図
【図５】本発明の第８、９の実施例における端末網制御装置のブロック構成図
【図６】本発明の第１０の実施例における端末網制御装置のブロック構成図
【図７】本発明の第１１〜１３の実施例における端末網制御装置のブロック構成図
【符号の説明】
１０１  回線通信手段
１０２  通信制御手段
１０３  端末通信手段
１０４  電源手段
１０５  端末網制御装置
１０６  充放電割込手段
１０７  回線電流割込手段
１０８  電池割込手段
１１０  放電供給手段
１１１  メータ通信手段
１１２  メータ制御手段
１１３  メータ割込手段
１１４  メータ電源手段
１１５  メータ割込制御手段
１１６  端末割込手段
１１７  端末割込制御手段
１１８  流量割込手段
１１９  呼出信号割込手段
１２０  オフフック割込手段
１２２  センサ割込手段
１２３  光センサ割込手段
１２４  振動センサ割込手段
２０１  センタ端末
２０２  電話回線
２０４  メータ
２０５  電話機
【図１】
0003777631.tif 000002
【図２】
0003777631.tif 000003
【図３】
0003777631.tif 000004
【図４】
0003777631.tif 000005
【図５】
0003777631.tif 000006
【図６】
0003777631.tif 000007
【図７】
0003777631.tif 000008